(57)【要約】【課題】検出信号が伝送される複数のケーブル芯線の振動を抑制して、かかる振動に伴うノイズの発生を防止することにより、検出信号の精度を向上させた複数ケーブルの接続構造をそなえた電子制御ユニット及び該電子制御ユニットそなえたエンジンを提供する。【解決手段】基板の上面に固定されたコネクタのケーブル接続口に接続される複数のケーブル芯線を、前記基板上において多芯ケーブルに束ねるように構成されたケーブルの接続構造を有する電子制御ユニットであって、前記ケーブルの接続構造は、前記複数のケーブル芯線の前記コネクタへの接続部と前記多芯ケーブルとの間を、熱収縮チューブにより該複数のケーブル芯線の相対移動を制止可能に束ねた形態で被覆して構成したことを特徴とする。【選択図】図４
2008059924.tif 000002
【特許請求の範囲】
【請求項１】
基板の上面に固定されたコネクタのケーブル接続口に接続される複数のケーブル芯線を、前記基板上において多芯ケーブルに束ねるように構成されたケーブルの接続構造を有する電子制御ユニットであって、前記ケーブルの接続構造は、前記複数のケーブル芯線の前記コネクタへの接続部と前記多芯ケーブルとの間を、熱収縮チューブにより該複数のケーブル芯線の相対移動を制止可能に束ねた形態で被覆して構成したことを特徴とする電子制御ユニット。
【請求項２】
前記熱収縮チューブは、前記多芯ケーブルの前記コネクタ側に連設されて、前記複数のケーブル芯線を水平方向への相対移動を制止可能に束ねた形態で被覆するように前記基板の法線方向に湾曲して設けられ、前記熱収縮チューブの端部あるいは前記多芯ケーブルを押え部材で前記基板の上面に固定したことを特徴とする請求項１記載の電子制御ユニット。
【請求項３】
前記基板の前記コネクタ寄りの部位にケーブル挿通用開口部を形成し、前記熱収縮チューブを、前記複数のケーブル芯線を被覆した形態で前記ケーブル挿通用開口部を挿通させて前記基板の裏側に引き出してから前記多芯ケーブルに接続し、前記熱収縮チューブの端部あるいは前記多芯ケーブルを該基板の裏側に押え部材で固定したことを特徴とする請求項１記載の電子制御ユニット。
【請求項４】
前記基板の前記コネクタ寄りの部位にケーブル挿通用開口部を形成し、前記熱収縮チューブを、前記複数のケーブル芯線を被覆した形態で前記ケーブル挿通用開口部の裏側において法線方向にＵ字状に湾曲してから前記基板の表側に引き出し、前記熱収縮チューブの端部あるいは前記多芯ケーブルを押え部材で前記基板の上面に固定したことを特徴とする請求項１記載の電子制御ユニット。
【請求項５】
エンジンの各シリンダの筒内圧力を検出する筒内圧力センサからの検出信号が伝送される複数のケーブル芯線を多芯ケーブルに束ねて基板の上面に固定された導入側コネクタに接続し、該導入側コネクタを経た前記各シリンダの筒内圧力センサからの複数のケーブル芯線を、前記基板の上面に固定された検出信号増幅用のアンプを通して導出側コネクタに接続し、該導出側コネクタを経た前記複数のケーブル芯線を多芯ケーブルに束ねて前記基板の外側に引き出すように構成された電子制御ユニットをそなえたエンジンにおいて、
前記電子制御ユニットは、前記複数のケーブル芯線の前記導入側コネクタへの接続部あるいは導出側コネクタへの接続部のいずれか一方または双方と前記多芯ケーブルとの間を、熱収縮チューブにより該複数のケーブル芯線の相対移動を制止可能に束ねた形態で被覆して構成したことを特徴とする電子制御ユニットをそなえたエンジン。
【発明の詳細な説明】
【技術分野】
【０００１】
本発明は、エンジンのシリンダ内圧力を検出する筒内圧力センサからの筒内圧力（シリンダ内圧力）検出信号を取り出すための筒内圧力検出ケーブルの接続構造等に適用され、基板の上面に固定されたコネクタのケーブル接続口に接続される複数のケーブル芯線を、前記基板上において多芯ケーブルに束ねるように構成されたケーブルの接続構造を有する電子制御ユニット及びこれをそなえたエンジンに関する。
【背景技術】
【０００２】
一般に、エンジンの電子制御ユニットにおいて、シリンダ内圧力を検出するにあたっては、複数のシリンダにそれぞれ取り付けられた筒内圧力センサからの筒内圧力（シリンダ内圧力）検出信号をアンプ（増幅器）に伝送し、該アンプによって前記筒内圧力検出信号を増幅し、この増幅検出信号を燃焼診断装置などの筒内圧力解析、処理手段に伝送している。
この場合、前記筒内圧力センサは、高温のシリンダカバーあるいはシリンダに取り付けられるため、アンプ（増幅器）が取り付けられるアンプ基板は筒内圧力センサから離して設置されることから、筒内圧力センサからの筒内圧力検出信号が伝送される複数のケーブル芯線を多芯ケーブルに束ねて、筒内圧力センサから離れて設置されたアンプ基板上に固定された導入側コネクタを介してアンプ（増幅器）に伝送している。
そして、該アンプによって増幅された筒内圧力検出信号は、該アンプ基板に設けられた導出側コネクタを介して複数のケーブル芯線に伝送され、該複数のケーブル芯線から基板の上面に固定された多芯ケーブルに束ねられてから燃焼診断装置などの筒内圧力解析、処理手段に伝送される。
【０００３】
図１０は、エンジンの電子制御ユニットに用いられるシリンダ内圧力検出用の筒内圧力センサからの筒内圧力検出信号を取り出すための筒内圧力検出ケーブルの接続構造を示す要部斜視図である。
図１０において、１は図示しないアンプ（増幅器）が取り付けられるアンプ基板、２ｂは該アンプ基板１の上面１ａに固定された導出用コネクタ、３は該導出用コネクタ２ｂの複数（つまりシリンダ数）のケーブル接続口２ｔからそれぞれ引き出された複数のケーブル芯線である。
そして、エンジンの複数のシリンダにそれぞれ取り付けられた筒内圧力センサ（図示省略）からの筒内圧力検出信号は、図示しないアンプ（増幅器）により増幅され、前記導出用コネクタ２ｂを介して前記複数のケーブル芯線３に伝送されるようになっている。
【０００４】
４は前記アンプ基板１の上面に押え部材５によって固定された多芯ケーブルであり、前記複数のケーブル芯線３は伸縮に対する逃げを構成するため主として上下方向（アンプ基板１の上面１ａの法線方向）に一定量湾曲させてから多芯ケーブル４で１本に束ねられている。従って、前記複数のケーブル芯線３は、前記多芯ケーブル４側から視ると、中央部のケーブル芯線３が上下方向に湾曲し、両側になるに従い湾曲方向が傾斜したアーチ状となっている。前記筒内圧力検出信号は、前記のようにアーチ状に湾曲した複数のケーブル芯線３及び前記多芯ケーブル４を経て燃焼診断装置などの筒内圧力解析、処理手段に伝送される。
【０００５】
尚、特許文献１（特開２００３−２９７４９５号公報）には、柔軟性を有するフレキシブルプリント基板に、電子回路が形成された電子制御ユニットと、該電子制御ユニットを収容し柔軟性を有する円筒形状のケースと、該ケースの両端に回転自在に支持され、ワイヤーハーネス側雌コネクタ部に接続されるユニット側コネクタ部と、各ユニット側コネクタ部と前記電子制御ユニットとを電気的に接続するフレキシブルケーブルとを備え、捩れや曲げや振動に強い電子制御ユニット内蔵コネクタが得られるようにしたケーブル接続構造が開示されている。
また、特許文献２（特開２００４−２３５３９８号公報）には、電子機器の回路基板上に設置されたコネクタの外周面にケーブル矯正用の突起を有する矯正部を設け、該突起によってケーブルの引き出しのループを小さく且つ高さを低くして該矯正部で前記ケーブルを固定することにより、基板上のコネクタやケーブルからの放射ノイズを低減するようにしたケーブル矯正構造が開示されている。
【０００６】
【特許文献１】特開２００３−２９７４９５号公報
【特許文献２】特開２００４−２３５３９８号公報
【発明の開示】
【発明が解決しようとする課題】
【０００７】
本件出願人は、先に、特許出願ＰＣＴ／ＪＰ０２／３１９７号において、エンジンの筒内圧力（シリンダ内圧力）を筒内圧力センサにより検出して、該筒内圧力の検出信号に基づきエンジンの燃焼状態を診断するエンジンの燃焼診断方法及び燃焼診断装置を提案した。
かかるエンジンの燃焼診断の精度は、筒内圧力センサによる筒内圧力の検出信号の精度によって大きく左右される。
しかるに、筒内圧力センサから出力される検出信号には筒内圧力にエンジンの振動に起因するノイズが重畳することが多く、かかるノイズが筒内圧力の検出信号の精度を低下させ、引いてはこの筒内圧力検出信号の精度低下がエンジンの燃焼診断の精度低下に繋がることとなる。
図９（Ａ）は、前記筒内圧力センサに接続される前記アンプ（増幅器）部における筒内圧力検出信号、図９（Ｂ）は筒内圧力センサ基板のコネクタ部のコネクタケーブルにおける筒内圧力検出信号の計測例を示す。
図９（Ａ）、図９（Ｂ）に示すように、コネクタケーブルにおいても、アンプ（増幅器）部と同様なノイズが混入した筒内圧力検出信号となっている。
【０００８】
エンジンの各シリンダに取り付けられた前記筒内圧力センサで検出され、アンプ（増幅器）により増幅された筒内圧力検出信号は、従来は、図１０のようにアンプ基板１の上面１ａに固定された導出用コネクタ２ｂを介して複数つまりシリンダ数と同数のケーブル芯線３に伝送され、アンプ基板１の上面１ａに固定された多芯ケーブル４に束ねられて前記燃焼診断装置に伝送されるようになっている。
しかしながら、図１０に示されるような、従来の電子制御ユニット用の筒内圧力検出ケーブルの接続構造にあっては、各シリンダの筒内圧力センサに接続される複数のケーブル芯線３を、該ケーブル芯線３の伸縮に対する逃げを構成するために上下方向（プリント基板１の上面１ａの法線方向）に一定量湾曲させてから、多芯ケーブル４により１本に束ねてアンプ基板１の上面１ａに固定しているため、エンジン振動に伴う起振力によって、該エンジン側に固定されている前記アンプ基板１にエンジン振動が伝達され、該アンプ基板１上に上下方向に一定量湾曲させて取り付けられている前記各ケーブル芯線３に振動が発生する。
【０００９】
前記のような複数のケーブル芯線３の振動については、各ケーブル芯線３がアンプ基板１の上面１ａの法線方向に一定量湾曲させてから多芯ケーブル４により１本に束ねているため、各ケーブル芯線３の湾曲方向であるアンプ基板１の法線方向（図１０のＹ矢方向）の振動は軽微であるが、各ケーブル芯線３の主たる湾曲方向に直角な方向、つまり水平方向（図１０のＸ矢方向）には、各ケーブル芯線３が多芯ケーブル４側から視て中央部のケーブル芯線３が上下方向に湾曲し両側になるに従い湾曲方向が傾斜したアーチ状となっているため、該アーチの根元を中心として各ケーブル芯線３が独立して水平方向に揺れ動く（振動する）。
【００１０】
このため、かかる従来技術にあっては、前記のような各ケーブル芯線３の水平方向振動により、各ケーブル芯線３間の距離が不規則に近づいたり離れたりするため、各ケーブル芯線３間の静電容量や各ケーブル芯線の周辺の磁界が変化して、かかる静電容量や磁界の変化に伴うノイズが発生し、このノイズが筒内圧力センサから出力される検出信号に重畳されて、筒内圧力検出信号の精度を低下させ、引いてはこの筒内圧力検出信号の精度低下がエンジンの燃焼診断の精度低下に繋がる等の問題を有している。
【００１１】
また、前記特許文献１の技術にあっては、柔軟性を有するフレキシブルプリント基板に取り付けられたユニット側コネクタ部と電子制御ユニットとをフレキシブルケーブルで接続する構造となっているため、エンジン等の振動レベルが大きい機器に用いた場合は振動によってフレキシブルケーブルが切断される恐れが十分にあり、エンジンの筒内圧力検出信号の伝送には適用困難である。
また、前記特許文献２の技術にあっては、電子機器の回路基板上に設置されたコネクタの外周面に設けた突起を有する矯正部によってケーブルの引き出しのループを小さく且つ高さを低くして、電子装置から放射される電磁波による放射ノイズを低減するようにしているにとどまり、前記のような各ケーブル芯線の水平方向振動に起因するノイズを低減するものではない。
【００１２】
本発明はかかる従来技術の課題に鑑み、検出信号が伝送される複数のケーブル芯線の振動を抑制して、かかる振動に伴うノイズの発生を防止することにより、検出信号の精度を向上させた複数ケーブルの接続構造をそなえた電子制御ユニット及び該電子制御ユニットそなえたエンジンを提供することを目的とする。
【課題を解決するための手段】
【００１３】
本発明はかかる目的を達成するもので、基板の上面に固定されたコネクタのケーブル接続口に接続される複数のケーブル芯線を、前記基板上において多芯ケーブルに束ねるように構成されたケーブルの接続構造を有する電子制御ユニットであって、前記ケーブルの接続構造は、前記複数のケーブル芯線の前記コネクタへの接続部と前記多芯ケーブルとの間を、熱収縮チューブにより該複数のケーブル芯線の相対移動を制止可能に束ねた形態で被覆して構成したことを特徴とする。
かかる発明において、具体的には次のように構成するのが好ましい。
即ち、前記熱収縮チューブは、前記多芯ケーブルの前記コネクタ側に連設されて、前記複数のケーブル芯線を水平方向への相対移動を制止可能に束ねた形態で被覆するように前記基板の法線方向に湾曲して設けられ、前記熱収縮チューブの端部あるいは前記多芯ケーブルを押え部材で前記基板の上面に固定する。
【００１４】
また、前記電子制御ユニットを用いたエンジンの発明は、エンジンの各シリンダの筒内圧力を検出する筒内圧力センサからの検出信号が伝送される複数のケーブル芯線を多芯ケーブルに束ねて基板の上面に固定された導入側コネクタに接続し、該導入側コネクタを経た前記各シリンダの筒内圧力センサからの複数のケーブル芯線を、前記基板の上面に固定された検出信号増幅用のアンプを通して導出側コネクタに接続し、該導出側コネクタを経た前記複数のケーブル芯線を多芯ケーブルに束ねて前記基板の外側に引き出すように構成された電子制御ユニットをそなえたエンジンにおいて、
前記電子制御ユニットは、前記複数のケーブル芯線の前記導入側コネクタへの接続部あるいは導出側コネクタへの接続部のいずれか一方または双方と前記多芯ケーブルとの間を、熱収縮チューブにより該複数のケーブル芯線の相対移動を制止可能に束ねた形態で被覆して構成したことを特徴とする。
【００１５】
前記熱収縮チューブは、熱を加えると大きく収縮して硬化する性質を有し、ブチレン系熱収縮樹脂（たとえば、図８に示すスミチューブＦ２（Ｕ／ＬＣＳＡ一般用））が好適である。
【００１６】
基板の上面に固定されたコネクタのケーブル接続口に接続される複数のケーブル芯線を、前記基板上において該基板の主として法線方向に一定量湾曲させてから多芯ケーブルに束ねるように構成されたケーブルの接続構造を有する電子制御ユニットにおいては、前述のように、各ケーブル芯線の湾曲方向である基板の法線方向の振動は軽微であるが、各ケーブル芯線の主たる湾曲方向に直角な方向つまり水平方向には、各ケーブル芯線が、多芯ケーブル側から視て中央部のケーブル芯線が上下方向に湾曲し、両側になるに従い湾曲方向が傾斜したアーチ状となっているため、該アーチの根元を中心として各ケーブル芯線が独立して水平方向に振動する。
【００１７】
然るにかかる発明によれば、基板上に取り付けられたコネクタのケーブル接続口からそれぞれ引き出された複数のケーブル芯線の前記コネクタへの接続部と多芯ケーブルとの間に熱収縮チューブを設け、該熱収縮チューブにより複数のケーブル芯線の相対移動を制止可能に束ねた形態で被覆しており、つまり具体的には前記熱収縮チューブを多芯ケーブルのコネクタ側に連設して、複数のケーブル芯線を水平方向への相対移動を制止可能に束ねた形態で被覆するように基板の法線方向に湾曲して設け、該熱収縮チューブの端部あるいは多芯ケーブルを押え部材で基板の上面に固定しているので、
コネクタのケーブル接続口から引き出された複数のケーブル芯線が多芯ケーブルで１本に束ねられるまでの間の部分を、前述のように熱を加えると大きく収縮して硬化する性質を有する熱収縮チューブによって、該ケーブル芯線を撓みを持たせて配線の自由度を保持しつつ束ねた形態で固く被覆することにより、エンジン振動等の外的起振力が負荷されても、各ケーブル芯線がかかる外的起振力によって水平方向を始めあらゆる方向に独立して振動するのを制止することができる。
【００１８】
これにより、コネクタのケーブル接続口から引き出された複数のケーブル芯線が多芯ケーブルで１本に束ねられるまでの間に、かかる振動によって複数のケーブル芯線間の距離が不規則に近づいたり離れたりすることによる静電容量や磁界の変化に伴うノイズの発生を抑制することができ、このノイズが筒内圧力検出信号等の検出信号に重畳されることによる該検出信号の精度低下を防止でき、ノイズの混入の無い高精度の検出信号が得られる。
【００１９】
また、本発明によれば、単一の熱収縮チューブにより複数のケーブル芯線を束ねた形態で被覆するのみという、該ケーブル芯線を樹脂モールドによりコネクタとともに固める場合等に比べてきわめて簡単な構造で、且つ組立、分解が容易な手段で以って、前記のような各ケーブル芯線の振動発生の防止効果を得ることができる。
【００２０】
また本発明は、前記基板のコネクタ寄りの部位にケーブル挿通用開口部を形成し、前記熱収縮チューブを、前記複数のケーブル芯線を被覆した形態で前記ケーブル挿通用開口部を挿通させて前記基板の裏側に引き出してから前記多芯ケーブルに接続し、前記熱収縮チューブの端部あるいは前記多芯ケーブルを該基板の裏側に押え部材で固定したことを特徴とする。
このように構成すれば、前記熱収縮チューブにより複数のケーブル芯線を被覆した形態で基板に設けたケーブル挿通用開口部を挿通させてから基板の裏側に押え部材で固定することにより、ケーブル芯線の挙動を押え部材と前記開口部の縁部との両端支持形態で抑制でき、エンジン振動等の外的起振力に対する支持剛性が増大して、ケーブル芯線の振動防止効果が向上する。
【００２１】
また本発明は、前記基板の前記コネクタ寄りの部位にケーブル挿通用開口部を形成し、前記熱収縮チューブを、前記複数のケーブル芯線を被覆した形態で前記ケーブル挿通用開口部の裏側において法線方向にＵ字状に湾曲してから前記基板の表側に引き出し、前記熱収縮チューブの端部あるいは前記多芯ケーブルを押え部材で前記基板の上面に固定したことを特徴とする。
このように構成すれば、熱収縮チューブで被覆したケーブル芯線を、ケーブル挿通用開口部の裏側においてＵ字状に湾曲して基板の表側に引き出してから押え部材で基板の上面に固定するので、前記開口部の裏側においてＵ字状に湾曲した熱収縮チューブ被覆のケーブルが伸張する作用により、ケーブル芯線に張力が加わって該ケーブル芯線の振動が抑制される。
また、基板面での配置上、ケーブル芯線の根元とコネクタとの距離が十分に採れない場合においても、前記Ｕ字状の湾曲部の形成によって熱収縮チューブで被覆したケーブル芯線の長さが長くなるので、ケーブルの取付作業が容易となる。
【発明の効果】
【００２２】
本発明によれば、基板上に取り付けられたコネクタのケーブル接続口からそれぞれ引き出された複数のケーブル芯線の、前記コネクタへの接続部と多芯ケーブルとの間に熱収縮チューブを設け、該熱収縮チューブにより複数のケーブル芯線の相対移動を制止可能に束ねた形態で被覆して複数ケーブルの接続構造をそなえたので、コネクタのケーブル接続口から引き出された複数のケーブル芯線が多芯ケーブルで１本に束ねられるまでの間の部分を、熱を加えると大きく収縮して硬化する性質を有する熱収縮チューブによって、固く被覆することにより、エンジン振動等の外的起振力が負荷されても、各ケーブル芯線がかかる外的起振力によって水平方向を始めあらゆる方向に独立して振動するのを制止することができる。
これにより、ケーブル芯線が外的起振力よって振動し、複数のケーブル芯線間の距離が不規則に近づいたり離れたりすることによる静電容量や磁界の変化に伴うノイズの発生を抑制することができ、このノイズが筒内圧力検出信号等の検出信号に重畳されることによる該検出信号の精度低下を防止でき、ノイズの混入の無い高精度の検出信号が得られる。
従って本発明によれば、振動レベルが大きいエンジン振動に対してもケーブル芯線の振動を確実に抑制して、かかるケーブル芯線の振動に伴う筒内圧力センサからの筒内圧力検出信号におけるノイズの発生を防止することが可能となって、筒内圧力検出信号の精度を上昇させ、エンジンの燃焼診断の精度を向上し得る電子制御ユニットをそなえたエンジンを提供できる。
【００２３】
また、本発明によれば、単一の熱収縮チューブにより複数のケーブル芯線を束ねた形態で被覆するのみという、該ケーブル芯線を樹脂モールドによりコネクタとともに固める場合等に比べてきわめて簡単な構造で且つ組立、分解が容易な手段で以って、前記のような各ケーブル芯線の振動発生の防止効果を得ることができる。
【発明を実施するための最良の形態】
【００２４】
以下、本発明を図に示した実施例を用いて詳細に説明する。但し、この実施例に記載されている構成部品の寸法、材質、形状、その相対配置などは特に特定的な記載がない限り、この発明の範囲をそれのみに限定する趣旨ではなく、単なる説明例にすぎない。
【００２５】
図７は本発明が適用されるエンジンの筒内圧力検出信号を用いた燃焼診断装置の概略構成図である。
図７において、１０はエンジン本体、１１はエンジンのシリンダ（この例では４シリンダ）、１５は該シリンダ１１内に燃料を噴射する燃料噴射装置、２１は該燃料噴射装置１５の燃料噴射タイミング及び燃料噴射量を制御する燃料制御装置である。
１２は各シリンダ１１内の筒内圧力を検出する筒内圧力センサである。２０は燃焼診断装置で、前記各筒内圧力センサ１２からの筒内圧力検出値に基づき各シリンダ１１内における異常燃焼や失火の有無等の燃焼状態を診断して、その診断結果を燃料制御装置２１に送り込む。
【００２６】
６は前記エンジン本体の上部に固定された取付台で、該取付台６上には、アンプ（増幅器）２ａ、導入側コネクタ２ａ、及び導出側コネクタ２ｂ、複数のケーブル芯線３、多芯ケーブル４が等からなるケーブル接続機構３０が取り付けられている。
１６は前記筒内圧力センサ１２からの筒内圧力検出信号を伝送する筒内圧力検出ケーブルで、該筒内圧力検出ケーブル１６を伝送された筒内圧力検出信号は、前記導入側コネクタ２ａからアンプ７に入り、該アンプ７により増幅され導出側コネクタ２ｂを介して複数のケーブル芯線３、多芯ケーブル４を経て前記燃焼診断装置２０に伝送されるようになっている。
【００２７】
図１は本発明の実施例に係る電子制御ユニットにおける筒内圧力検出装置の上方からの斜視図、図２は平面図である。また、図３（Ａ）はアンプ及びコネクタの配置を示す平面図、図３（Ｂ）は（Ａ）におけるＺ−Ｚ断面図である。
図１〜２において、１０はエンジン本体、１１は該エンジン本体１０上に固定されたシリンダ、１１ａは該シリンダ１１上に固定されたシリンダカバーである。
１２は前記シリンダ１１に取り付けられて該シリンダ１１内の筒内圧力を検出する筒内圧力センサ、１６は該筒内圧力センサ１２からの筒内圧力検出信号を伝送する筒内圧力検出ケーブルで、該筒内圧力検出ケーブル１６は図３のように前記導入側コネクタ２ａを介して前記アンプ７に接続される。
７ａは後述するアンプ基板１、アンプ７等が収納される円筒状の外筒で、該外筒７ａは２個の止め金具７ｚ，７ｚにより前記取付台６上に固定されている。４ｓは多芯ケーブル用コネクタである。
【００２８】
図３において、１はアンプ基板で、該アンプ基板１上に前記アンプ７が設置されている。
また、該アンプ基板１上には導入側コネクタ２ａ及び導出側コネクタ２ｂが取り付けられ、前記筒内圧力検出ケーブル１６の複数（シリンダ数と同一）のケーブル芯線３が導入側コネクタ２ａに接続され、アンプ７からの複数のケーブル芯線３が前記導出側コネクタ２ｂを介して多芯ケーブル４（図３には多芯ケーブルコネクタ４ａとして示されている）に接続されている。前記アンプ基板１、アンプ基板７、導入側コネクタ２ａ及び導出側コネクタ２ｂ等は円筒状の外筒７ａ内に収納されている。
本発明は、前記電子制御ユニットにおける筒内圧力センサから燃焼診断装置へのケーブルの接続等に適用される複数ケーブルの接続構造に関するものである。
【実施例１】
【００２９】
図４は本発明の第１実施例に係るエンジンの筒内圧力検出ケーブルの接続構造を示す要部斜視図である。
図４において、１はアンプ基板、２ｂは該アンプ基板１の上面に固定された導出側コネクタで、図３のように、円筒状の外筒７ａ内に収納されている。３は該導出側コネクタ２ｂの複数（つまり前記筒内圧力センサ１２の数でこの例では４個）のケーブル接続口２ｔからそれぞれ引き出された複数（この例では４個）のケーブル芯線である。４は前記アンプ基板１の上面に止め金具５によって固定された多芯ケーブルである。
前記複数のケーブル芯線３は伸縮に対する逃げを構成するため主として上下方向（プリント基板１の上面１ａの法線方向）に一定量湾曲させてから前記多芯ケーブル４に接続されている。
【００３０】
９は熱収縮チューブで、前記複数（この例では４本）のケーブル芯線３の前記導出側コネクタ２ｂへの接続部と前記多芯ケーブル４との間を、該複数のケーブル芯線３の相対移動を制止可能に束ねた形態、好ましくは複数のケーブル芯線３を水平方向への相対移動を制止可能に束ねた形態で被覆するように、前記アンプ基板１の法線方向に湾曲して設けられている。該熱収縮チューブ９の端部（あるいは前記多芯ケーブル４）は、止め金具５で前記アンプ基板１の上面に固定されている。従って前記複数のケーブル芯線３は、前記熱収縮チューブ９に被覆された形態で、多芯ケーブル４側から視ると、主として上下方向（図１のＹ矢方向）に湾曲して設置されることとなる。
前記熱収縮チューブは、熱を加えると大きく収縮して硬化する性質を有し、たとえば、図８に示すスミチューブＦ２（Ｕ／ＬＣＳＡ一般用）のようなブチレン系熱収縮樹脂が好適である。
【００３１】
この実施例に係る電子制御ユニットにおいては、図４に示すように、アンプ基板１の上面に固定された導出側コネクタ２ｂのケーブル接続口２ｔに接続される複数（この例では４個）のケーブル芯線３を、前記アンプ基板１上において該アンプ基板１の主として法線方向に一定量湾曲させてから多芯ケーブル４に束ねるように構成されたケーブルの接続構造をそなえている。
かかるケーブルの接続構造では、一般に、各ケーブル芯線３の湾曲方向である基板の法線方向（図４のＹ矢方向）の振動は軽微であるが、各ケーブル芯線３の主たる湾曲方向に直角な方向つまり水平方向（図４のＸ矢方向）には、各ケーブル芯線３が、多芯ケーブル４側から視て中央部のケーブル芯線が上下方向に湾曲し、両側になるに従い湾曲方向が傾斜したアーチ状となっているため、該アーチの根元を中心として各ケーブル芯線３が独立して水平方向に振動する。
【００３２】
然るにかかる第１実施例によれば、アンプ基板１上に取り付けられた導出側コネクタ２ｂのケーブル接続口２ｔからそれぞれ引き出された複数（この例では４個）のケーブル芯線３の前記導出側コネクタ２ｂへの接続部と多芯ケーブル４との間に熱収縮チューブ９を設け、該熱収縮チューブ９により複数のケーブル芯線３の相対移動を制止可能に束ねた形態で被覆しており、つまり具体的には前記熱収縮チューブ９を多芯ケーブル４の導出側コネクタ２ｂ側に連設して、複数のケーブル芯線３を水平方向（図４のＸ矢方向）への相対移動を制止可能に束ねた形態で被覆するようにアンプ基板１基板の法線方向（図４のＹ矢方向）に湾曲して設け、該熱収縮チューブ９の端部あるいは多芯ケーブル４を押え部材５でアンプ基板１の上面に固定しているので、
前記導出側コネクタ２ｂのケーブル接続口２ｔから引き出された複数のケーブル芯線３が多芯ケーブル４で１本に束ねられるまでの間の部分を、前述のように熱を加えると大きく収縮して硬化する性質を有する熱収縮チューブ９によって、該ケーブル芯線３を撓みを持たせて配線の自由度を保持しつつ束ねた形態で固く被覆することにより、エンジン振動等の外的起振力が負荷されても、各ケーブル芯線３がかかる外的起振力によって水平方向（図４のＸ矢方向）を始めあらゆる方向に独立して振動するのを制止することができる。
【００３３】
これにより、導出側コネクタ２ｂのケーブル接続口２ｔから引き出された複数のケーブル芯線３が多芯ケーブル４で１本に束ねられるまでの間に、前記振動によって複数のケーブル芯線３間の距離が不規則に近づいたり離れたりすることによる静電容量や磁界の変化に伴うノイズの発生を抑制することができ、このノイズが筒内圧力検出信号に重畳されることによる該検出信号の精度低下を防止でき、ノイズの混入の無い高精度の検出信号が得られる。
【００３４】
また、かかる第１実施例によれば、単一の熱収縮チューブ９により複数のケーブル芯線３を束ねた形態で被覆するのみという、該ケーブル芯線３を樹脂モールドによりコネクタとともに固める手段等に比べて、きわめて簡単な構造で且つ組立、分解が容易な手段で以って、前記のような各ケーブル芯線３の振動発生の防止効果を得ることができる。
【実施例２】
【００３５】
図５は本発明の第２実施例に係るエンジンの筒内圧力検出ケーブルの接続構造を示す要部斜視図（図４対応図）である。
この第２実施例においては、前記アンプ基板１の導出側コネクタ２ｂ寄りの部位に４角形状（多角形状でも円形状でもよい）のケーブル挿通用開口部１ｚを形成し、前記熱収縮チューブ９を、前記複数のケーブル芯線３を被覆した形態で前記ケーブル挿通用開口部１ｚを挿通させて前記アンプ基板１の裏側に引き出してから該アンプ基板１の裏側に配置した前記多芯ケーブル４に接続し、前記熱収縮チューブ９の端部あるいは前記多芯ケーブルを前記アンプ基板１の裏面側に押え部材５で固定した構造となっている。その他の構成は前記第１実施例と同様であり、これと同一の部材は同一の符号で示す。
【００３６】
かかる第２実施例によれば、前記熱収縮チューブにより複数のケーブル芯線を被覆した形態で基板に設けたケーブル挿通用開口部を挿通させてから基板の裏側に押え部材で固定することにより、ケーブル芯線の挙動を押え部材と前記開口部との両端支持形態で抑制でき、エンジン振動等の外的起振力に対する支持剛性が増大して、ケーブル芯線の振動防止効果が向上する。
【実施例３】
【００３７】
図６は本発明の第３実施例に係るエンジンの筒内圧力検出ケーブルの接続構造を示す要部斜視図（図４対応図）である。
この第３実施例においては、前記アンプ基板１の導出側コネクタ２ｂ寄りの部位にケーブル挿通用開口部１ｚを形成し、前記熱収縮チューブ９を、前記複数のケーブル芯線３を被覆した形態で前記ケーブル挿通用開口部１ｚの裏側において法線方向にＵ字状に湾曲してから前記アンプ基板１の表側に引き出し、前記熱収縮チューブ９の端部あるいは前記多芯ケーブル４を押え部材５で前記アンプ基板１の上面に固定した構造となっている。その他の構成は前記第１実施例と同様であり、これと同一の部材は同一の符号で示す。
【００３８】
かかる第３実施例によれば、熱収縮チューブ９で被覆したケーブル芯線３を、ケーブル挿通用開口部１ｚの裏側においてＵ字状に湾曲してアンプ基板１の表側に引き出してから押え部材５で該アンプ基板１の上面に固定するので、前記ケーブル挿通用開口部１ｚの裏側においてＵ字状に湾曲した熱収縮チューブ９被覆のケーブルが伸張する作用により、ケーブル芯線３に張力が加わって該ケーブル芯線３の振動が抑制される。
また、アンプ基板１の板面での配置上、ケーブル芯線３の根元と導出側コネクタ２ｂとの距離が十分に採れない場合においても、前記Ｕ字状の湾曲部の形成によって熱収縮チューブ９で被覆したケーブル芯線３の長さが長くなるので、ケーブルの取付作業が容易となる。
【００３９】
以上の第１〜第３実施例は、導出側コネクタ２ｂ側のケーブル接続構造であるが、本発明は、図３における筒内圧力検出ケーブル１６と導入側コネクタ２ａとの接続構造にも適用できる。
また、以上の第１〜第３実施例は、エンジンの電子制御ユニットにおける筒内圧力検出装置に関するものであるが、本発明はコネクタに接続される複数のケーブル芯線を１本のケーブルに束ねるようにしたケーブル接続構造全般に適用できる。
【産業上の利用可能性】
【００４０】
本発明によれば、検出信号が伝送される複数のケーブル芯線の振動を抑制して、かかる振動に伴うノイズの発生を防止することにより、検出信号の精度を向上させた複数ケーブルの接続構造をそなえた電子制御ユニット及び該電子制御ユニットそなえたエンジンを提供できる。
【図面の簡単な説明】
【００４１】
【図１】本発明の各実施例に係る電子制御ユニットにおける筒内圧力検出装置の上方からの斜視図である。
【図２】前記各実施例における筒内圧力検出装置の平面図である。
【図３】（Ａ）は前記各実施例におけるアンプ及びコネクタの配置を示す平面図、（Ｂ）は（Ａ）におけるＺ−Ｚ断面図である。
【図４】本発明の第１実施例に係るエンジンの筒内圧力検出ケーブルの接続構造を示す要部斜視図である。
【図５】本発明の第２実施例を示す図４対応図である。
【図６】本発明の第３実施例を示す図４対応図である。
【図７】本発明が適用されるエンジンの筒内圧力検出信号を用いた燃焼診断装置の概略構成図である。
【図８】前記各実施例における熱収縮チューブの一例を示す表である。
【図９】（Ａ）は筒内圧力センサに接続されるアンプ部における筒内圧力検出信号、（Ｂ）は筒内圧力センサ基板のコネクタ部のコネクタケーブルにおける筒内圧力検出信号の計測例を示す線図である。
【図１０】エンジンの電子制御ユニットに用いられるシリンダ内圧力検出用の筒内圧力センサからの筒内圧力検出信号を取り出すための筒内圧力検出ケーブルの接続構造の従来技術を示す要部斜視図である。
【符号の説明】
【００４２】
１      アンプ基板
１ｚ    ケーブル挿通用開口部
２ａ    導入側コネクタ
２ｂ    導出側コネクタ
２ｔ    ケーブル接続口
３      ケーブル芯線
４      多芯ケーブル
５      押え部材
６      取付台
９      熱収縮チューブ
１０    エンジン本体
１１    シリンダ
１２    筒内圧力センサ
１５    燃料噴射装置
１６    筒内圧力検出ケーブル
２０    燃焼診断装置
２１    燃料制御装置
【図１】
2008059924.tif 000003
【図２】
2008059924.tif 000004
【図３】
2008059924.tif 000005
【図４】
2008059924.tif 000006
【図５】
2008059924.tif 000007
【図６】
2008059924.tif 000008
【図７】
2008059924.tif 000009
【図８】
2008059924.tif 000010
【図９】
2008059924.tif 000011
【図１０】
2008059924.tif 000012